(57)【要約】    【課題】  異物が詰まりにくい、鳥による害を受けにくい、交換時に種々の凹部に適合可能である等の特徴を備えたルーフドレインを提供することである。    【解決手段】  細長い円錐台形状の本体（１２）を備え、本体の上面が頂壁（１２ａ）で閉鎖され、本体の下面にリング状の底壁（１２ｂ）が取り付けられており、本体の側壁（１２ｄ）の上半部に、多数の第１開口部（１４）が規則的に配列されており、本体の側壁の下半部に、複数の第２開口部（１６）が配列されており、第２開口部が、側壁に切り込みを入れ、切り込まれた部分を本体の外方に迫り出させることによって形成されていることを特徴とする。【選択図】  図１
2006016869.tif 000002
【特許請求の範囲】
【請求項１】
細長い円錐台形状の本体を備え、前記本体の上面が頂壁で閉鎖され、前記本体の下面にリング状の底壁が取り付けられており、
前記本体の側壁の上半部に、多数の第１開口部が規則的に配列されており、
前記本体の側壁の下半部に、複数の第２開口部が配列されており、前記第２開口部が、前記側壁に切り込みを入れ、切り込まれた部分を前記本体の外方に迫り出させることによって形成されていることを特徴とするルーフドレイン。
【請求項２】
前記本体の頂壁の上方に、鳥が載ったとき周縁部が上下動するように取り付けられた鳥害防止板が配置されていることを特徴とする請求項１に記載のルーフドレイン。
【請求項３】
前記本体の下面に、ルーフドレインを建築物の所定箇所に設置するための取り付け板が取り外し可能にが取り付けられていることを特徴とする請求項１又は２に記載のルーフドレイン。
【発明の詳細な説明】
【技術分野】
【０００１】
本発明は、異物が詰まりにくい等の新規な特徴を備えたルーフドレインに関する。
【背景技術】
【０００２】
ビルディングの屋上や建築物の陸屋根の雨水を集めて排水管や縦樋に流す箇所に配置されるルーフドレインは一般的に、鋳物製の金具であり、ゴミ止め用の格子又は開口部が設けられている。
【発明の開示】
【発明が解決しようとする課題】
【０００３】
しかしながら、従来のルーフドレインでは、格子又は開口部が枯れ葉等の異物が覆われてしまい、雨水が排水管や縦樋に円滑に流れないという不都合が生ずることがあった。また、ビルディングの屋上や建築物の屋根が、カラスやハト等による糞害を被り、美観上からも衛生上からも好ましくない事態が生じている。さらに、従来のルーフドレインは鋳物で一体に形成されているため、新しいルーフドレインと交換しようとする際、寸法が配置箇所の凹部に適合しないこともあった。
【０００４】
本発明は、このような状況に鑑みて案出されたものであって、異物が詰まりにくい、鳥による害を受けにくい、交換時に種々の凹部に適合可能である等の特徴を備えた改良型ルーフドレインを提供することを目的としている。
【課題を解決するための手段】
【０００５】
本願請求項１に記載のルーフドレインは、細長い円錐台形状の本体を備え、前記本体の上面が頂壁で閉鎖され、前記本体の下面にリング状の底壁が取り付けられており、前記本体の側壁の上半部に、多数の第１開口部が規則的に配列されており、前記本体の側壁の下半部に、複数の第２開口部が配列されており、前記第２開口部が、前記側壁に切り込みを入れ、切り込まれた部分を前記本体の外方に迫り出させることによって形成されていることを特徴とするものである。
【０００６】
本願請求項２に記載のルーフドレインは、前記請求項１のルーフドレインにおいて、前記本体の頂壁の上方に、鳥が載ったとき周縁部が上下動するように取り付けられた鳥害防止板が配置されていることを特徴とするものである。
【０００７】
本願請求項３に記載のルーフドレインは、前記請求項１又は２のルーフドレインにおいて、前記本体の下面に、ルーフドレインを建築物の所定箇所に設置するための取り付け板が取り外し可能にが取り付けられていることを特徴とするものである。
【発明の効果】
【０００８】
本発明では、第２開口部が本体の外方に迫り出しているので、第２開口部が枯れ葉等で塞がれにくいように構成されている。また、鳥害防止板が設置されているので、鳥の糞害を回避することができる。さらに、設置箇所に適合した取り付け板を選択することができるので、所望の設置箇所に使用することができる。
【発明を実施するための最良の形態】
【０００９】
次に図面を参照して、本発明の好ましい実施の形態に係る改良型ルーフドレインについて詳細に説明する。図１は、本発明の好ましい実施の形態に係る改良型ルーフドレインを示した正面図、図２は、図１の線２−２に沿って見た縦断面図である。図１及び図２において全体として参照符号１０で示される本発明の好ましい実施の形態に係る改良型ルーフドレインは、細長い円錐台形状の本体１２を備えている。本体１２の上面は、頂壁１２ａで閉鎖されており、本体１２の下面には、中央に大きな開口１２ｃが設けられたリング状の底壁１２ｂが取り付けられている。
【００１０】
本体１２の側壁１２ｄの上半部には、多数の第１開口部１４が規則的に配列されている。また、本体１２の側壁１２ｄの下半部には、第２開口部１６が配列されている。第２開口部１６は、側壁１２ｄに切り込みを入れ、切り込まれた部分を本体１２の外方に迫り出させることによって形成されている。このように形成された第２開口部１６は、図３に最も良く示されるように、本体１２の下縁を形成する円の接線方向に向かうように構成されている。
【００１１】
本体１２の頂壁１２ａの上方には、鳥害防止板１８が取り付けられている。鳥害防止板１８は、中央に孔１８ａが設けられた皿状の形状を有しており、本体１２の頂壁１２ａの略中央に固定されたボルト１２ｅに孔１８ａを入れ、ボルト１２ｅの先端にナット１２ｆを螺合させることにより、本体１２に取り付けられている。なお、鳥害防止板１８の孔１８ａは、鳥害防止板１８上に鳥が載ったとき鳥害防止板１８の周縁部が上下動（図２の矢印参照）するように、ボルト１２ｅの径よりも大きく形成するのが好ましい。
【００１２】
本体１２の下面には、ルーフドレイン１０を建築物の所定箇所に取り付けるための取り付け板２０が取り付けられている。取り付け板２０は好ましくは、本体１２の底壁１２ｂにボルト２２で取り外し可能に取り付けられている。取り付け板２０は、中央に本体１２の底壁１２ｂの開口１２ｃと略同じ大きさの開口２０ａが設けられたリング状の形状を有している。取り付け板２０には好ましくは、開口２０ａから下方に延びた案内管２０ｂが設けられている。また、取り付け板２０には、建築物の所定箇所に取り付ける際に用いられるスロット孔２０ｃが設けられている。
【００１３】
なお、本体１２、鳥害防止板１８、及び取り付け板２０は好ましくは、ステンレス鋼で形成されている。
【００１４】
以上のように構成された改良型ルーフドレイン１０の使用について説明する。まず、設置しようとする箇所の凹部に対応した取り付け板２０を、本体１２にボルト２２で取り付ける。そして、図４に示されるように、設置箇所に配置してボルト等で固定する。第２開口部１６は、本体１２から外方に迫り出しているので、ルーフドレイン１０の下部に枯れ葉等が堆積しても、第２開口部１６が完全に塞がれることはない。また、鳥害防止板１８上に鳥が載ると、鳥害防止板１８の周縁が上下動し、鳥害防止板１８と頂壁１２ａが接触して音が出るので、鳥が驚いて飛び去る。また、鳥害防止板１８がステンレス鋼で形成されているので、光り物を嫌う鳥がルーフドレイン１０に容易に近づかない。さらに、取り付け板２０が取り外し可能になっているので、設置箇所の凹部の寸法に適合する取り付け板を選定することができる。
【００１５】
本発明は、以上の発明の実施の形態に限定されることなく、特許請求の範囲に記載された発明の範囲内で、種々の変更が可能であり、それらも本発明の範囲内に包含されるものであることはいうまでもない。
【００１６】
例えば、前記実施の形態において示されている第１開口部１４、第２開口部１６、鳥害防止板１８、及び取り付け板２０の形状等は単なる例示的なものにすぎず、図示されているものと異なる形状等を有するものにしてもよい。
【図面の簡単な説明】
【００１７】
【図１】本発明の好ましい実施の形態に係るルーフドレインの正面図である。
【図２】図１の線２−２に沿って見た横断面図である。
【図３】図１の線３−３に沿って見た横断面図である。
【図４】図１のルーフドレインが取り付けられている状態を示した断面図である。
【符号の説明】
【００１８】
１０  ルーフドレイン
１２  本体
１４  第１開口部
１６  第２開口部
１８  鳥害防止板
２０  取り付け板
【図１】
2006016869.tif 000003
【図２】
2006016869.tif 000004
【図３】
2006016869.tif 000005
【図４】
2006016869.tif 000006